(57)【要約】  電気電球コネクタ３２を有する電球６と、電源に後部接続されるよう構成された前部電気ホルダコネクタを有するホルダ５と、上記電球と上記ホルダとを結合する口金７とを有する照明器具である。上記口金は、上記電球コネクタを受入する上部と上記ホルダコネクタを受入する反対側の底部との間に取り付け方向に沿って延在すると共に、当該照明システムが一旦組み立てられると前記電球コネクタを前記ホルダコネクタに電気的に接続することができる電気口金コネクタの少なくとも一部内に受け入れるために前記上部と前記底部との間に延在する軸方向の孔を有している。前記口金は口金ガイドを更に有し、前記ホルダはホルダガイドを更に有している。これら口金ガイド及びホルダガイドは、該ホルダガイドにより前記口金の前記取り付け方向に対して垂直な方向への如何なる大きな動きも防止されるように上記取り付け方向において嵌り合うことにより互いに協動するよう構成され、前記口金コネクタの前記ホルダコネクタとの電気的接触過程の前の前記口金の前記ホルダに対する位置決め過程を確かなものにする。
2011515004.tif 000002
【特許請求の範囲】
【請求項１】
電球を電源に取り付ける照明システムであって、
−  電気電球コネクタを有する電球と、
−  ホルダ本体と、電源に後部接続される前部電気ホルダコネクタとを有するホルダと、
−  前記電球と前記ホルダとを結合する口金であって、前記電球コネクタを受入する上部と前記ホルダコネクタを受入する対向する底部との間において取り付け方向に沿って延在すると共に、当該照明システムが一旦組み立てられた場合に前記電球コネクタを前記ホルダコネクタに電気的に接続することができる電気口金コネクタの少なくとも一部内に受け入れるために前記上部と前記底部との間に延在する軸方向の孔を有する口金本体を備える口金と、
を有し、前記口金は口金ガイドを更に有し、前記ホルダはホルダガイドを更に有し、これら口金ガイド及びホルダガイドは、嵌り合うと共に、前記口金を、該口金の前記取り付け方向に対して垂直な方向への如何なる大きな動きも前記ホルダガイドにより防止されるように前記取り付け方向に沿う平行移動で案内するよう設計されており、前記口金コネクタの前記ホルダコネクタとの電気的接触過程の前の前記口金の前記ホルダに対する位置決め過程を確かなものにする照明システム。
【請求項２】
前記口金ガイドは１つの雌又は雄のガイド部材を含み、前記ホルダガイドは相補的なガイド部材を含む請求項１に記載の照明システム。
【請求項３】
前記口金ガイドが、２つの雄の、２つの雌の、又は１つの雌及び１つの雄のガイド部材である２つのガイド部材を含み、前記ホルダガイドが相補的なガイド部材を含む請求項１に記載の照明システム。
【請求項４】
前記口金ガイド及び前記ホルダガイドが、嵌り合い、且つ、前記ホルダ上への前記電球と前記口金とを含む口金付き電球の不適切な組み合わせを防止するために口金付き電球タイプ及びホルダタイプを各々コード化するために設けられた相補的な凹凸構造を含む請求項１に記載の照明システム。
【請求項５】
前記口金本体及び前記ホルダ本体が電気的に絶縁な材料から形成される請求項１に記載の照明システム。
【請求項６】
前記電球は前記口金に取り外し不能に受入され、該口金は前記ホルダに着脱可能に取り付けられる請求項１に記載の照明システム。
【請求項７】
前記口金及び前記ホルダは、前記電気的接触過程が生じたら前記口金を前記ホルダにロックする取り付け手段を有する請求項１に記載の照明システム。
【請求項８】
照明システムのための電球口金であって、前記照明システムは、
−  電気電球コネクタを有する電球と、
−  ホルダガイドと、電源に後部接続される前部電気ホルダコネクタとを有するホルダと、
を有し、当該電球口金は、
−  前記電球を受入するための上部と、前記ホルダコネクタを受入するための反対側の底部と、電気口金コネクタの少なくとも一部内に受け入れるために前記底部と前記上部との間に延在する軸方向の孔とを有する口金本体と、
−  前記ホルダガイドと嵌り合って、該ホルダガイドにより該電球口金の取り付け方向に対して垂直な方向への如何なる大きな動きも防止されるように前記取り付け方向に沿う平行移動で案内され、前記口金コネクタの前記ホルダコネクタとの電気的接触過程の前における当該電球口金の前記ホルダに対する位置決め過程を確かなものにする口金ガイドと、
を有する電球口金。
【請求項９】
前記口金ガイドが、前記底部から前記取り付け方向に平行に延びる請求項８に記載の電球口金。
【請求項１０】
前記口金ガイドが、前記底部のエッジに位置する領域から延びる請求項８又は請求項９に記載の電球口金。
【請求項１１】
前記口金ガイドはガイド部材を有し、これらガイド部材の各々に対する体積は前記取り付け方向に平行な小さな面及び大きな面により限定され、前記ガイド部材の各々の前記大きな面のうちの１つが前記底部のエッジから延びる請求項１０に記載の電球口金。
【請求項１２】
前記口金ガイドが、１つ、２つ、３つ又はそれ以上の脚である請求項８ないし１１の何れか一項に記載の電球口金。
【請求項１３】
前記電球コネクタを前記軸方向の孔を介して前記ホルダコネクタと電気的に接続することが可能な電気口金コネクタを更に有する請求項８に記載の電球口金。
【請求項１４】
前記口金ガイドが、前記ホルダガイドの相補的凹凸構造と嵌り合うと共に、前記電球と前記電球口金とを含む口金付き電球と前記ホルダとの不適切な組み合わせを防止するために口金付き電球のタイプをコード化する凹凸構造を含む請求項８に記載の電球口金。
【請求項１５】
請求項８に記載の電球口金と、該電球口金に自身を電気的に接続する電気電球コネクタを有する電球とを有する口金付き電球。
【発明の詳細な説明】
【技術分野】
【０００１】
本発明は、広くは、照明システム並びに斯様な照明システムのための口金及び口金付き電球に関する。
【背景技術】
【０００２】
より正確には、本発明は電球（ランプ）を電源に取り付ける照明システムであって、
−  電気電球コネクタを有する電球と、
−  電源に後部接続されるよう構成された前部電気ホルダコネクタを有するホルダと、
−  上記電球とホルダとを結合する口金であって、前記電球コネクタを受入する上部と上記ホルダコネクタを受入する対向する底部との間に取り付け方向に沿って延在し、当該照明システムが一旦組み立てられると前記電球コネクタを前記ホルダコネクタと電気的に接続することができる電気口金コネクタの少なくとも一部内に受入するために前記上部と前記底部との間に延在する軸方向の孔を有する口金と、
を有し、前記口金及びホルダが、取り付け方向において互いに協動して前記口金を前記ホルダに取り付け及び電気的に接続するように構成された付属手段を有する照明システムに関するものである。
【０００３】
このタイプの照明システムは、例えば国際特許出願公開第WO-A-2004/015331号に開示されている。
【発明の概要】
【発明が解決しようとする課題】
【０００４】
上記文献に記載された照明システムは満足のゆくものであるが、このタイプの照明システムに対する一般的要求は、上記ホルダに対する口金の電気的接続がうまく行かず、結果として口金がホルダ上で詰まって動かなくなるのを防止することである。
【０００５】
本発明の目的は、このような改善を提案することにある。
【課題を解決するための手段】
【０００６】
この目的のために、本発明の一実施例によれば、電球を電源に取り付ける照明システムが提案され、該照明システムは、
−  電気電球コネクタを有する電球と、
−  電源に後部接続されるよう構成された前部電気ホルダコネクタを有するホルダと、
−  前記電球とホルダとを結合する口金であって、前記電球コネクタを受入する上部と上記ホルダコネクタを受入する対向する底部との間において取り付け方向に沿って延在すると共に、当該照明システムが一旦組み立てられると前記電球コネクタを前記ホルダコネクタと電気的に接続することができる電気口金コネクタの少なくとも一部内に受け入れるために前記上部と前記底部との間に延在する軸方向の孔を有する口金本体を備える口金と、
を有し、前記口金は口金ガイドを更に有し、前記ホルダはホルダガイドを更に有し、これら口金ガイド及びホルダガイドは、該ホルダが該口金に接続される際に取り付け方向において互いに協動するよう構成される。
【０００７】
上記口金ガイド及びホルダガイドは、一緒に嵌り合うと共に、上記口金を、上記取り付け方向に沿う平行移動の際に、該口金の上記取り付け方向に対して垂直な方向への如何なる大きな動きも上記ホルダガイドにより防止されるように案内するよう更に特別に設計され、前記口金コネクタの前記ホルダコネクタとの電気的接触過程の前に、上記口金の上記ホルダに対する位置決め過程を確かなものにする。
【０００８】
これらのフィーチャのお陰で、上記口金ガイド及びホルダガイドは、上記口金の上記ホルダへの取り付けの間における該口金の該ホルダに対する簡単且つ効果的な案内を提供し、このことは、ユーザが次の電気的接続のための当該口金のホルダに対する良好な位置決めをする（即ち、取り付け軸に沿って上記口金コネクタをホルダコネクタと整列させる）ことを可能にし、次いで、これら口金とホルダとの間の良好な電気的接続を確かなものにする。
【０００９】
このようにして、上記口金とホルダとの間の電気的接続の安全性が改善される。
【００１０】
このような改善は、上記ホルダが車両に固定される場合、及びユーザが前記口金付き電球（即ち、電球＋口金）を交換しなければならない場合に特に興味のあるものである。本発明は、ユーザに対して及び車両の電気系統に対して、このような操作の安全性を改善する。
【００１１】
本発明の照明システムの種々の実施例においては、下記のフィーチャのうちの１つ及び／又は他のものを頼りとすることができる：
−  上記口金ガイドは、前記底部から取り付け方向に平行に延びる。このようにして、口金の幅（口金の幅は取り付け軸に垂直な面内で測定される）は最小化される。かくして、当該照明システムは余り複雑ではなく、このことは、車両製造者にとっては非常に興味のあるものであり得、斯かる製造者は、従って、寸法を低減し又はヘッドライト及び／又は後退灯（バックアップライト）に新たな光学系を設けることができるようになり、更に、このフィーチャは上記ホルダの幅を低減することも可能にする；
−  前記口金ガイドは１つの雌又は雄のガイド部材を含む一方、前記ホルダガイドは相補的なガイド部材を含む；
−  前記口金ガイドは、２つの雄の、２つの雌の又は一方が雌で他方が雄のガイド部材である２つのガイド部材を含み、前記ホルダガイドは相補的なガイド部材を含む；
−  前記口金ガイド及びホルダガイドは、嵌り合うように構成されると共に、当該ホルダ上への口金付き電球（即ち、電球＋口金）の不適切な組み合わせを防止するために口金付き電球タイプ及びホルダタイプを各々コード化するように設けられた相補的な凹凸構造を含み、これにより、口金付き電球がホルダに正しい位置で取り付けられることが保証される；
−  前記口金及びホルダは電気的に絶縁な材料から形成される。特に、前記口金ガイド及びホルダガイドは電気絶縁材料から形成される。この構成は、口金をホルダ上に位置決めする間に電気的な問題が発生しないことを保証する。即ち、取り付けの機能が電気的接続の機能から分離される；
−  前記雄のガイド部材は、口金本体に属すると共にホルダに向かって前記口金コネクタより遠くまで突出するような脚であり、前記雌のガイド部材は前記ホルダ本体に形成されると共に上記脚を各々受入するように構成された側面溝である。このフィーチャは、口金をホルダに対して特別に簡単且つ効果的な方法で案内するのを可能にする一方、少なくとも口金とホルダとが電気的に接続されるまで、口金がホルダに対して案内されるのを保証する；
−  前記脚及び溝は相補的な凹凸構造を含み、これら凹凸構造は嵌り合うように構成されると共に、口金とホルダとの不適切な組み合わせを防止するために口金タイプ及びホルダタイプを各々コード化するように構成される；
−  前記口金本体及びホルダ本体は電気的に絶縁な材料から形成される；
−  前記ホルダは追加の電気コネクタを含み、該追加の電気コネクタは前記ホルダコネクタに電気的に接続されると共に、電源に後部接続されるように構成される；
−  当該電球は、前記口金に取り外し不能に受入され、該口金は前記ホルダに着脱可能に取り付けられる；
−  当該照明システムは、前記ホルダ本体が固定される壁を有するようなハウジングを含み、前記電球は該ハウジング内に配置される；
−  前記口金及びホルダは、前記電気的接触過程が行われたら、該口金を該ホルダにロックするように構成された取り付け手段を有する。
【００１２】
一方、本発明の他の実施例は、
−  電気電球コネクタを有する電球と、
−  ホルダガイドと、電源に後部接続されるように構成された前部電気ホルダコネクタとを有するホルダと、
を有する照明システムのための電球口金に関するもので、該電球口金は、
−  前記電球を受入するための上部と、前記ホルダコネクタを受入するための反対側の底部と、電気口金コネクタの少なくとも一部内に受け入れるために上記底部と上記上部との間に延在する軸方向の孔とを有する口金本体と、
−  当該口金が前記ホルダに取り付けられる場合に、取り付け方向において前記ホルダガイドと協動するように構成された口金ガイドと、
を有し、上記口金ガイドは、前記ホルダガイドと嵌り合って、該ホルダガイドにより該電球口金の前記取り付け方向に対して垂直な方向への如何なる大きな動きも防止されるように前記取り付け方向に沿う平行移動で案内されるように設計され、前記口金コネクタの前記ホルダコネクタとの電気的接触過程の前における当該電球口金の前記ホルダに対する位置決め過程を確かなものとする。
【００１３】
本発明の電球口金の種々の実施例においては、下記のフィーチャのうちの１つ及び／又は他のものに依存することができる：
−  前記口金ガイドは、前記底部から取り付け方向に平行に延びる。特には、前記口金ガイドは前記底部のエッジから延びることができる。更に特定的には、前記口金ガイドはガイド部材を有することができ、各ガイド部材に対する体積はＸ軸に平行な小さな面及び大きな面により限定され、各ガイド部材の上記大きな面の１つは前記底部のエッジから延びる。このようにして、当該口金の幅は最小化される。このように、当該照明システムは余り複雑でなく、このことは、車両製造者にとっては非常に関心のあるものであり得、従って斯かる製造者は寸法を縮めることができるか又はヘッドライト及び／又は後退灯（バックアップライト）に新たな光学系を設けることができる。更に、この口金の寸法の減縮は、ホルダ（車両に固定された）がユーザにとり従来の口金でもってはアクセスするのが困難であるか又は不可能であるようなシステムに対して非常に有効である；
−  前記口金ガイドは、例えば所要の剛性及び／又は脚厚を備えた１つ、２つ、３つ又はそれ以上の脚である；
−  前記電球口金は、更に、前記電球コネクタを前記軸方向の孔を介して前記ホルダコネクタと電気的に接続することが可能な電気口金コネクタを有する；
−  前記面は、前記ホルダガイドの相補的凹凸構造と嵌り合うと共に、前記口金付き電球（即ち、電球＋電球口金）とホルダとの不適切な組み合わせを防止するために口金付き電球のタイプをコード化するように構成された凹凸構造を含む；
−  前記口金ガイドの１つは、前記取り付け方向において前記第２口金コネクタより遠くまで突出する２つの脚を含む。
【００１４】
最後に、本発明の更なる実施例は、前記電球口金と、該電球口金及び自身を電気的に接続する電気電球コネクタを有する電球とを有する口金付き電球に関するものである。
【００１５】
本発明の他のフィーチャ及び利点は、添付図面を参照して制限するものではない例として示す実施例の１つの後述する詳細な説明から明らかとなるであろう。
【図面の簡単な説明】
【００１６】
【図１】図１は、ハウジング内に取り付けられた口金付き電球を含む、本発明の一実施例による照明システムの概要図である。
【図２】図２は、図１の方向IIから見た、図１の口金付き電球アセンブリの後面図である。
【図３】図３は、図１の口金付き電球アセンブリの斜視図である。
【図４】図４は、或る方向から見た、図３の口金付き電球アセンブリの分解斜視図である。
【図５】図５は、図４とは反対の方向から見た、図３の口金付き電球アセンブリの分解斜視図である。
【図６】図６は、図１のVI−VI線に沿う断面図である。
【図７】図７は、図１のVII−VII線に沿う断面図である。
【図８】図８は、口金付き電球をホルダに接続する際の中間の位置における口金付き電球アセンブリを示す斜視図である。
【図９】図９は、口金付き電球をホルダに接続する際の図８の位置における口金付き電球アセンブリを示す、図１のVI−VI線に沿う断面図である。
【図１０】図１０は、図１のVI−VI線に沿う照明システムの三次元断面図であり、口金付き電球をホルダ上に保持する手段を示す。
【発明を実施するための形態】
【００１７】
図面の各図において、同一の符号は、同一又は類似の構成要素を示している。
【００１８】
図１は、例えば自動車に使用するために設計された照明システム１を示している。該照明システムは、例えば、車両のヘッドランプの１つ、又はリアランプ、又はそれ以外のものとすることができる。
【００１９】
照明システム１は、口金付き電球アセンブリ３が取り付けられたハウジング２を含んでいる。
【００２０】
上記口金付き電球アセンブリは、ホルダ５に接続された口金付き電球４を有している。口金付き電球４自体は、口金７に接続された電球６を有し、該口金７はホルダ５に接続される。
【００２１】
電球６は、例えば白熱電球又はハロゲン電球等の如何なるタイプのものとすることもできる。
【００２２】
当該照明システム１は、図１〜９における説明において使用されるように、ハウジング２、ホルダ５、電球６及び口金７を含んでいるが、この表現は、例えば口金７及びホルダ３のみのように、これら構成要素の一部のみをもっと一般的に示すこともあることに注意されたい。
【００２３】
ハウジング２は、例えば反射器等の後壁８及び例えばレンズ等の前壁９を含むことができ、これらは一緒になって当該口金付き電球４が配置される内部容積１０を画定する。後壁８は口金付き電球アセンブリ３により横断される孔１１を有し、該孔内にはホルダ５の本体５ａが固定される。
【００２４】
ホルダ本体５ａは、例えば電気的に絶縁な材料から、例えばポリアミドのような熱可塑性樹脂等のプラスチック材料から型形成された、好ましくは単一部品として形成することができる。この材料は、使用時に電球６により発生される相対的に高い温度に耐えることができる。
【００２５】
図面の例において、ホルダ本体５ａは周部フランジ（鍔）１２を有し、該フランジは口金付き電球アセンブリ３の中心Ｘ軸に対して外方へ放射状に延びると共に、上記孔１２内に例えば密着（tight fitting）等の何らかの既知の手段により固定される。
【００２６】
図２〜５に更に詳細に示されるように、ホルダ本体５ａは更に後部１３を含み、該後部は実質的に円筒形状（この特定の場合では、長円断面の）を有し、Ｘ軸に沿い後方に向かって、後部電気コネクタ１５を格納する開放後端１４まで延在する。後部コネクタ１５は、例えば２つの金属ピン１６を含み、これらピンはＸ軸に平行に延びると共に開放後端１４を介してアクセス可能であり、これにより、当該車両の電源回路に属する外部コネクタ（図示略）への該コネクタ１５の接続を可能にする。
【００２７】
ホルダ本体５ａは前部１７を更に有し、該前部は前記フランジから前方に延びると共に、例えばＸ軸に沿い且つ実質的に方形断面の実質的に円柱的な外形を有している。
【００２８】
図４及び５に示されるように、ホルダ本体５ａの前部１７は、Ｘ軸に平行に延びると共に前方に向かって（即ち、口金７及び電球６に向かって）開放した２つの中央凹部１８を含むことができる。これらの凹部１８は２つの金属製接触フォーク（二又体）１９を各々収容することができ、これらフォークは前方に開らくと共に一緒になって前部ホルダコネクタ２０を形成する。
【００２９】
上記フォーク１９の各々は、前記ピン１６のうちの対応するものと一体であり、かくして、ホルダコネクタ２０は後部コネクタ１５と永久的な電気的接触状態にある。
【００３０】
ホルダ本体５ａの前部１７は、該前部の２つの対向する側部上にホルダガイドを更に有し、該ガイドは、図面の例では、Ｘ軸と平行な２つの側面溝２１からなっている。
【００３１】
更に、上記側面溝２１の少なくとも一方には、Ｘ軸と平行な軸方向リブ２２を設けることができる。
【００３２】
最後に、ホルダ本体５ａの前部１７における端面２３の縁部は、相互に位置合わせされた切欠き２４を含むこともできる。
【００３３】
口金７は口金本体７ａを有し、該口金本体は例えば電気的に絶縁な材料から、例えばポリアミドのような熱可塑性樹脂等のプラスチック材料から型形成された、好ましくは単一部品として形成することができる。この材料は、使用時に電球６により発生される相対的に高い温度に耐えることができる。
【００３４】
口金本体７ａは中央部２５を含み、該中央部は、当該口金７が前記ホルダ５に接続された場合にホルダ本体５ａの前部１７の端面２３に軸方向で当接する（図４〜７参照）。
【００３５】
上記中央部２５の後面の外部にはＸ軸に対して垂直なリブ２６が延在することができ、この垂直リブ２６の２つの端部は中央部２５から突出し（後者に軸方向に投影された場合）、当該口金が上記ホルダに接続された場合に、該ホルダの前記切欠き２４に嵌り込む。
【００３６】
上記垂直リブ２６を２つの軸方向の孔２７が横切るが、これら孔の用途は後述する。
【００３７】
更に、口金本体７ａの中央部２５は２対の凹部２８を含み、これら凹部は後方に向かって開放する一方、これら凹部には２つのＵ字状金属接触部材２９が圧入（force fit）される。
【００３８】
上記Ｕ字状接触部材は、これら部材の枝部２９ａが凹部２８内に各々圧入される一方、これら部材の基部２９ｂが上記垂直リブ２６を後方で覆うように配設される。当該口金が前記ホルダに接続された場合、該Ｕ字状接触部材２９は前記ホルダコネクタ２０のフォーク１９内に挿入される。
【００３９】
更に、Ｕ字状接触部材２９の基部２９ｂの各々は、Ｘ軸と平行な孔３０を含んでいる。該Ｕ字状接触部材２９の２つの各孔３０は、前記口金本体７ａの孔２７と位置合わせされ、これら孔３０は、前記電球が口金７と接続された場合に該電球６の２つの金属ピン３１を各々受入するように構成されている。
【００４０】
このように、上記２つの孔３０は、当該電球の２つのピン３１により形成される電球コネクタ３２に接続することが可能な当該口金の第１電気口金コネクタを構成する一方、上記Ｕ字状接触部材の枝部２９ａは、上記第１口金コネクタ３０に電気的に接続されると共に前記ホルダコネクタ２０に電気的に接続されるように構成された第２電気口金コネクタ３３を構成する。
【００４１】
また、口金本体７ａは、中央部２５から後方に向かってＸ軸に平行に延びる底部４１を有する。該底部４１は口金ガイドを有し、該ガイドは図面の例では前記ホルダの側面溝２１に対して相補的な形状を有し、当該口金本体の中央部２５から後方に延びる２つの側部脚３４からなっている。これらの２つの側部脚は、小さな間隙を伴って又は伴わずに、前記ホルダの２つの溝２１に嵌入されるように構成され、これにより、当該口金が前記ホルダに取り付けられる際に該口金７に対して案内を提供すると共に、該口金が前記ホルダに一旦取り付けられた場合には該口金に対して効果的且つ信頼性のある支持を提供する。上記２つの脚３４の一方は、当該脚の内側表面上に軸方向のスロット３５を含み、かくして、図７に明瞭に示されるように、前記ホルダの軸方向リブ２２は該軸方向スロット３５に嵌り込むことができる。
【００４２】
図４〜７に示されるように、口金本体７ａは、電球６の方向に前方へ延びるような中空ソケットを形成する上部（前部）３６も含む。この前部３６は実質的に円筒状の周壁を含み、該周壁は４つのスロット３７により中断されて、４つの可撓性タブ３８、３９を形成する。可撓性タブ３８、３９は、これらタブの自由端に複数の内側エッジ４０を有する。電球６が口金７に接続される場合、上記可撓性タブ３８、３９は電球６の基部に形成されたリム４２上に弾発的に係合し、かくして、これら可撓性タブ３８、３９の内側エッジ４０が該リム４２と協動して当該電球６を口金７上に取り外し不能に保持するのを可能にする。
【００４３】
口金付き電球４は、ホルダ５上にロック手段により着脱可能に保持される。当業者であれば、このロック手段を設けるために如何なる既知及び良く知られた技術を使用することもできる。斯かるロック手段の一例が図１０に示されている。即ち、ホルダ５には、該ホルダ５における各溝２１の２つの側部縁の一方から延び、前記脚３４が溝２１に一旦嵌入された場合に当該口金付き電球４における対応する側部脚３４の一部を覆うような１つの可撓性タブ８０が設けられている。更に、この可撓性タブ８０とホルダ５のフランジ１２との間にはギャップ８１が設けられる。また、可撓性タブ８０の該ギャップ８１に隣接する端部には、前壁８３と、該前壁８３から及びＸ軸から外側に向かって延びる後部斜面９０とが設けられている。更に、各側部脚３４の終端部分の外側表面には、上記ギャップ８１内に収容され得ると共に、側部脚３４が前記フランジ１２に当接している場合に上記前壁８３に当接することが可能な後壁９１と前壁又は前側斜面９３とを有する突起部９２が設けられている。各可撓性タブ８０には、各可撓性タブ８０の内側表面の全長にわたりＸ軸に平行に延びる凹部８２を設けることができ、これにより、口金付き電球４のホルダ５への装着の間における上記側部脚３４の突起部９２に対する通路を可能とする。上述した照明システムは以下のように操作することができる。
【００４４】
電球６及び口金７は事前に接続することができ、これにより上述した口金付き電球４を形成する。口金７を使用するお陰で、電球６は大きな連続生産で製造することができ、当該電球が取り付けられる予定のホルダ５に依存して幾つかのタイプの口金７に接続することができることに注意されたい。
【００４５】
図８及び９に示されるように、口金付き電球４がホルダ５に取り付けられる際、口金７の２つの脚３４により形成される口金ガイドは、先ず、前記ホルダの２つの側面溝２１により形成されるホルダガイドに嵌め込まれ、次いで、上記口金ガイドは当該ホルダ内を取り付け方向に沿って、少なくとも第２口金コネクタ３０がホルダコネクタ２０と電気的に接触するまで、前方にスライドすることができる。
【００４６】
従って、当該口金付き電球は、少なくとも該口金付き電球が上記ホルダに電気的に接続されるまで、取り付け方向（Ｘ軸）に沿う平行移動で非常に精密に案内される。この案内は、上記取り付け方向に対して垂直な方向への大きな運動を防止する。
【００４７】
第２口金コネクタ３０とホルダコネクタ２０との間の電気的接触の後、当該口金付き電球４は取り付け方向（Ｘ軸）に沿って、口金７の２つの脚３４の自由端がフランジ１２に当接するまで、前方にスライドし続ける。この位置において、各側部脚３４の突起部９２（図１０参照）は、可撓性タブ８０の前記後部斜面９０及び前壁８３を通り過ぎ、ギャップ８１内に収容される。後壁９１と前壁８３との間の当接は、当該口金付き電球をＸ軸に沿って引き抜こうと試みても、該口金付き電球４のホルダ５からの取り外しを防止する。しかしながら、先ず可撓性タブ８０をＸ軸から後方に押し戻し、次いで口金付き電球４をホルダ５から引き抜くことにより、該口金付き電球４は依然として取り外し可能である。ロック位置の前において、各突起部９２が対応する可撓性タブ８０の凹部８２内で、該可撓性タブ８０が口金付き電球４のホルダ５への案内により歪まされないように滑動し、かくしてホルダ５に対する口金付き電球４の位置決め品質が斯かるロック要素により乱されることがないようにすることに注意すべきである。
【００４８】
更に、上記ホルダの軸方向リブ２２及び上記口金の軸方向スロット３５（又は上記口金付き電球のホルダへの接続の間においてＸ軸に沿う滑動関係で係合する該口金及びホルダの何らかの他の対応する凹凸構造）は、これら口金及びホルダの不適切な組み合わせを防止するために口金タイプ及びホルダタイプを各々コード化するようになっている。
【００４９】
勿論、本発明は、上述した詳細な説明に限定されるものではなく、同じ又は類似する機能を持つ口金を備えた他の照明システムに拡張することもできる。例えば、当業者であれば、当該照明システムを１、３、４又はそれ以上の側部脚３４及びホルダ５上の斯かる脚の相補的部分を有するようにどの様に適合化させるかは分かるものである。
【図１】
2011515004.tif 000003
【図２】
2011515004.tif 000004
【図３】
2011515004.tif 000005
【図４】
2011515004.tif 000006
【図５】
2011515004.tif 000007
【図６】
2011515004.tif 000008
【図７】
2011515004.tif 000009
【図８】
2011515004.tif 000010
【図９】
2011515004.tif 000011
【図１０】
2011515004.tif 000012
【国際調査報告】
2011515004.tif 000013
2011515004.tif 000014
2011515004.tif 000015